(57)【要約】【課題】  主装置またはサーバに接続される電話機において、多数の回線または通話チャネルからの複数の着信を記憶できるようにするとともに、複数の着信を表示できるようにし、かつ、表示できない着信がさらにあるときには未表示の着信があることを通知できるようにする。【解決手段】  着信中又は通話中の状態を表示する着信表示素子ＤをＮ個具備し、複数の着信中又は通話中の呼の存在を前記Ｎ個の着信表示素子で表示すると共に、前記複数の着信中の呼の中から選択して所定の相手と通話可能な電話機システムにおいて、着信中又は通話中の呼の数がＮより大きい場合、前記Ｎ個の表示素子の内の特定の表示素子の表示を、他の表示素子と異なった視覚効果を有する表示方法とし、Ｎ個以上の着信中又は通話中の呼の存在を視認可能とする。【選択図】      図６
2006080625.tif 000002
【特許請求の範囲】
【請求項１】
着信中又は通話中の状態を表示する表示素子をＮ個具備し、複数の着信中又は通話中の呼の存在を前記Ｎ個の表示素子で表示すると共に、前記複数の着信中の呼の中から選択して所定の相手と通話可能な電話機システムにおいて、着信中又は通話中の呼の数がＮより大きい場合、前記Ｎ個の表示素子の内の特定の表示素子の表示を、他の表示素子と異なった視覚効果を有する表示方法とし、Ｎ個以上の着信中又は通話中の呼の存在を視認可能とすることを特徴とする、電話機システムにおける着信表示および応答制御方法。
【請求項２】
Ｄ１，Ｄ２，・・・，ＤｎのＮ個の表示素子を電話機外面の連続した部位に配置し、着信中又は通話中の呼が増加する毎に、Ｄ１，Ｄ２，・・・の順で表示素子を逐次着信中又は通話中の表示とし、表示素子Ｄｍ（１≦ｍ≦ｎ―１）に対応する呼の通話が終了した時、前記Ｄｍ＋１以降の表示素子の着信中又は通話中の表示を、Ｄｍからの連続した表示素子に移動して、呼の着信中又は通話中の表示が連続した部位となるように、前記Ｎ個の表示素子の制御をするスライド表示機能を有することを特徴とする、請求項１記載の電話機システムにおける着信表示および応答制御方法。
【請求項３】
複数の着信中の呼に応答する際、所定の優先順位に従って、前記複数の着信中の呼の中から優先順位の高い着信中の呼を自動的に選択することを特徴とする、請求項１記載の電話機システムにおける着信表示および応答制御方法。
【発明の詳細な説明】
【技術分野】
【０００１】
本発明は、電話機システムにおける着信表示およびその応答時の処理に関する。
【背景技術】
【０００２】
図７を用いて、従来の電話機システムのネットワーク構成例を説明する。電話機システムは、電話ネットワークに複数の回線で接続された構内交換機などの主装置と、この主装置に接続された複数の電話機１から構成される。一般的な電話機システムでは、電話回線等の物理的な回線数Ｌに対して通話が可能な数もＬであり、物理的に電話機システムに収容された電話回線等の着信表示は、その回線数分の表示部を電話機に設定して表示しないと、全ての回線に着信があったことを電話機で知ることができず、全ての着信に応答することができなかった。
【０００３】
しかし、図８に示すように、電話機１の外観は、発信者番号、発信者名などの情報を表示するＬＣＤ表示素子Ａ１と、着信表示ボタンなどの機能を自由に割り付けられる外線の選択や着信表示を行う２色ＬＥＤ等の表示素子を内蔵した外線ボタンとしての働きを有するプログラマブルキーＡ２や、音量調節、不在着信、内線選択、スピーカ、電話帳、保留などの機能を固定的に割り付けた機能ボタンＡ３，Ａ５と、ダイヤルボタンＡ４と、ハンドセット（送受話器）Ａ６とを有している。このような電話機においては、装着可能なボタンや表示素子の数には限りがあり、主装置に収容する回線数または通話チャネルＬが大だと着信呼をすべて表示できないケースがでてくる。特に、電話ネットワークとしてインターネットプロトコルを利用したＩＰネットワーク（ＶｏＩＰ）であってその帯域が広い場合、かなり多数の通話チャネルを確保することが可能となり、着信表示素子の不足が顕著となる。これを解決する機能としてバーチャルライン機能があるが、従来は特定のボタンおよび表示素子１つで複数の着信表示を行っていた。
【０００４】
図９を用いて、従来のバーチャルライン機能の表示方法を説明する。バーチャルライン機能は、電話機に着信用メモリを設け、先着順に着信を順次記憶して行き、先頭の着信を着信表示素子Ｄに表示するように構成されており、着信表示は最初の着信表示のみで（表示するボタンが１つのため）、応答は着信順のみ可能という制限事項があることから、従来の電話システムが持っていた機能（着信の積滞状況等を把握することや、特定の着信に応答すること）を使用することができないという欠点があった。すなわち、バーチャルライン機能は、着信Ｇ１があると着信用メモリには着信Ｇ１が記憶され、着信表示素子には着信Ｇ１が表示される。この状態で着信Ｇ２があると着信用メモリには着信Ｇ１の後に着信Ｇ２が記憶されるが、着信表示素子Ｄには着信Ｇ１のみが表示される。同様に、着信Ｇ３があると着信用メモリには着信Ｇ２の後に着信Ｇ３が記憶されるが、着信表示素子Ｄには着信Ｇ１のみが表示されたままである。この状態で、利用者がオフフックするなど着信Ｇ１に応答すると、着信用メモリには、着信Ｇ２が先頭に記憶され着信Ｇ３がその後に移行して記憶されるとともに、着信表示素子にはＧ２が表示される。このように従来のバーチャルライン機能にあっては、複数の着信があっても電話機には最初の着信のみが表示され、その後の着信については表示することができなかった（例えば特許文献１参照）。
【０００５】
【特許文献１】特開２００４−９６２１３号公報
【発明の開示】
【発明が解決しようとする課題】
【０００６】
上記問題を解決するために、本発明は、主装置やサーバに接続される電話機において、多数の回線または通話チャネルからの複数の着信を記憶できるようにするとともに、複数の着信の状態を表示できるようにし、かつ、表示できない着信がさらにあるときには未表示の着信があることを通知できるようにすることを目的とする。
【課題を解決するための手段】
【０００７】
図６を用いて、本発明によって実行することができるバーチャルライン機能の表示方法を説明する。本発明は、電話機に着信を着信順に先頭から順次記憶する着信用メモリと、複数の着信表示素子を備えるとともに、先頭から着信表示素子分の着信を着信表示素子に表示させるように構成することにより、上記目的を達成する。すなわち、電話機システムの着信用メモリにおける着信表示情報の蓄積方向を縦方向（先頭の情報のみ表示可能）から横方向（全ての情報を表示可能）に変更するとともに、表示素子を複数具備する。蓄積方法はＦＩＦＯを基本とする。但し、出力は先頭情報以外でも着信情報ごとに取り出し可能とする。この方法により、今まで表示できなかった、２番目以降の着信情報が表示可能となり、着信情報が蓄積される毎に着信表示が増える様子、着信情報に応答する毎に表示が減る様子を視覚的に確認することができる。着信情報に応答する際の動作は、該当の着信表示が消え、一つ後の情報が一つずつ前へスライドしていく動作となる。
【０００８】
すなわち、このバーチャルライン機能によれば、着信は、着信用メモリの領域Ａ１，Ａ２，Ａ３…に着信順に先頭から順次記憶されていく、それぞれの領域の着信情報は、着信表示素子Ｄ１、Ｄ２，Ｄ３…に表示できるように構成されている。まず、着信Ｇ１があると着信用メモリの領域Ａ１に着信情報が記憶され、着信表示素子Ｄ１を赤色に点滅させて着信Ｇ１の存在を表示する。次に、着信Ｇ２があると、着信用メモリの領域Ａ２に着信Ｇ２が記憶され、着信表示素子Ｄ２に着信Ｇ２の存在が表示される。さらに、着信Ｇ３があると、着信用メモリの領域Ａ３に着信Ｇ３が記憶され、着信表示素子Ｄ３に着信Ｇ３の存在が表示される。利用者がオフフックするなど着信Ｇ１に応答すると、着信Ｇ２が領域Ａ１に移行し、着信Ｇ３が領域Ａ２に移行する。この際、着信表示素子Ｄ１が着信Ｇ２の、表示素子Ｄ２が着信Ｇ３の着信を表示する。次いで、着信Ｇ４があると、着信Ｇ４は領域Ａ３に記憶され、着信表示素子Ｄ３に、着信を表示する。また、着信Ｇ１の通話が終わり着信Ｇ３（先着の着信Ｇ２ではなく）に応答すると、着信Ｇ２が領域Ａ１に残留し、着信Ｇ４が領域Ａ２に移行する。
【０００９】
ここで、着信表示素子（ＬＥＤ等の表示素子）Ｄの数Ｎを、着信表示情報を蓄積する着信用メモリの数より少なくし、着信表示素子の数以上の着信を記憶したときに、最後部の着信表示素子（例えば、着信表示素子Ｄｍａｘ）の色を例えば緑色に変えて点滅させるなどして着信が表示数以外にもあることを表示することにより、着信表示素子が少ない場合も多くの着信の表示に適応できるようにする。
【００１０】
すなわち、着信表示素子の数Ｎを上回った着信情報を蓄積した場合は、最後の表示素子の表示方法を変化させることにより、視覚的な確認が可能になる。また、着信用メモリ内の着信の記憶数が着信表示素子の数と同等になった時に最後の着信表示素子の表示方法を例えば赤色の点滅表示として、元の着信表示方法に戻す。
【００１１】
さらに、従来のバーチャルライン機能では着信情報の表示用蓄積メモリの数と応答用蓄積メモリは１つであったため、応答手段は１つの方法（先着順）しか対応できなかったが、これを着信時の情報で異なる蓄積メモリに振り分けることにより、その情報を有する着信情報に着信順番に関係なく優先的に応答することも可能になる（同じ情報を持つ着信情報は着信順となる）。
【発明の効果】
【００１２】
本発明によれば、着信表示素子Ｄの数Ｎが着信受付可能な着信数よりも少なくても表示した以外の着信があることを表示する運用が可能となり、限られた数の応答ボタン（プログラマブルキー）および着信表示素子で多数の着信呼の表示や応答が可能となり、幅広い回線数または通話チャネル数に対応可能な電話機システムの設計が可能となる利点がある。
【００１３】
さらに、本発明によれば、着信の積滞状況を視覚情報（ＬＥＤ等の表示素子で構成される表示素子による表示）で確認することができる。
【００１４】
さらに、本発明によれば、応答方法として、以下に示す方法を使用することができ、応答態様に柔軟性を持たせることができる。
（１）自動選択応答による先着順応答、（２）着信情報により優先付けを行い優先順位の高い着信から自動選択応答する優先順位付き先着順応答、（３）該当の着信を選択して応答する手動選択応答方法。
【発明を実施するための最良の形態】
【００１５】
図１を用いて、本発明を適応したネットワーク構成の概要を説明する。本発明は、ＬＡＮ電話システム一般に適用することが可能であるが、この実施例では、特にＩＰ電話システムに適要した場合を示している。
【００１６】
本発明にかかる電話機ネットワークは、複数のＩＰ電話機１−１，１−２，１−３をローカルエリアネットワーク（ＬＡＮ）Ｌ１を介してサーバ３に接続して構成される。この電話機ネットワークは、ゲートウェイＧＷ５を経由してＩＰネットワーク（ＷＡＮ）を介して外部のネットワーク７と接続される。ＷＡＮは、一般的にＡＤＳＬ、光回線などの多種多様なＩＰ回線が適用可能であり、その通信速度も多様である。また、前記ＩＰ回線はデータ通信も兼ねられ、そのデータ通信のトラヒックにより電話の使用可能な帯域も変動する。なお、図１において、サーバ３はＬＡＮ（Ｌ１）に接続されているが、本発明はＬＡＮ（Ｌ１）のエリア外にサーバ３を配置して、ＷＡＮを介してサーバと各ＩＰ電話機を接続するＩＰセントレックス方式にも適用可能である。
【００１７】
以下，ＩＰ電話システムを例に本発明の実施例を説明する。ＩＰ電話機１は、例えば、ＳＩＰプロトコルを使用して発信操作、着信表示、通話を行う手段である。サーバ３は、ＳＩＰプロトコルを使用してＩＰ電話機の登録情報や発信着信の制御、その他付加サービスを制御する手段である。ゲートウェイＧＷ５は、ＷＡＮを介したＬＡＮ（Ｌ１）外からの接続を制御する手段である。
【００１８】
図２のハードウェアブロック図を用いて、本発明にかかる電話機システムを構成する電話機（ＩＰ電話機）の内部構成例を説明する。電話機１は、ＬＡＮインタフェース１１Ｌと、ＰＣインタフェース１１Ｐと、ＣＰＵ１２と、ＲＯＭ１３１と、ＲＡＭ１３２と、ＬＣＤ表示素子１４と、ＬＥＤ表示素子付キー１５と、ハンドセット１６と、スピーカ１７と、ＡＣ電源アダプタ１８１と、電源回路１８２とを有して構成される。ＬＡＮインタフェース１１Ｌは１０／１００ＢＡＳＥのイーサネット（登録商標）インタフェース部である。ＰＣインタフェース１１Ｐは１０／１００ＢＡＳＥのイーサネットＨＵＢインタフェース部である。ＣＰＵ１２は主制御部である。ＲＯＭ１３１は上記主制御部に付随するプログラムメモリである。ＲＡＭ１３２は上記主制御部に付随するデータメモリである。ＬＣＤ表示素子１４は電話番号その他の情報を表示する液晶表示素子である。ＬＥＤ表示素子付キー１５は状態表示用ＬＥＤ及び機能ボタンである。ハンドセット１６は送受話器である。スピーカ１７は、着信音その他を出力する手段である。ＡＣ電源アダプタ１８１はＡＣ電源のアダプタであり、電源回路１８２は直流電源である。
【００１９】
図２のＲＡＭ１３２内に、着信情報表示用蓄積メモリＡ、着信応答用蓄積メモリＢ、着信応答用蓄積メモリＣが構成されている。
【００２０】
機能ブロック図である図３を用いて、本発明にかかる電話機の機能構成を説明する。電話機１は、ＬＡＮインタフェース機能Ｆ１１と、コーダ・デコーダＦ１２と、Ａ／Ｄ変換部・Ｄ／Ａ変換部Ｆ１３と、送受話器駆動部Ｆ１４と、ハンドセットＦ１５と、制御部Ｆ１６と、表示操作部Ｆ１７とを有して構成される。
【００２１】
ＬＡＮインタフェース部Ｆ１１は、データをＩＰパケット化して送信し、受信したＩＰパケットからデータを抽出する機能を有している。コーダ・デコーダＦ１２は、Ａ／Ｄ変換された音声信号を符号化し、符号化された音声データを復号化する機能を有している。Ａ／Ｄ変換部・Ｄ／Ａ変換部Ｆ１３は、送話器からの音声信号をディジタル信号に変換し、デコーダからの音声信号をアナログ信号に変換する機能を有している。送受話器駆動部Ｆ１４は、送話器及び受話器の音量や音質を調整する機能を有している。ハンドセットＦ１５は、送話器と受話器からなる。制御部Ｆ１６は、ＣＰＵと、ＲＯＭと、着信表示用蓄積メモリＡ及び着信応答用蓄積メモリ（オンネット着信）Ｂならびに着信応答用蓄積メモリ（オフネット着信）Ｃを有するＲＡＭなどからなるデータ処理機能、装置制御機能を有している。表示操作部Ｆ１７は、表示パネル部、数字や文字情報を表示パネルに表示させる駆動制御機能を有する表示インタフェース部、表示素子部、表示素子部に状態を表示させる駆動制御機能を有するランプインタフェース部、ボタン、テンキー、フックスイッチ、スピーカ、テンキーやフックスイッチのオン／オフ検出、及びスピーカの駆動（着信鳴動等）制御機能を有する入出力インタフェース部などからなる。
【００２２】
ＩＰ電話機には、着信情報表示用蓄積メモリＡ、着信応答用蓄積メモリＢ、着信応答用蓄積メモリＣ、着信表示素子Ｄを具備し、この実施例では、着信呼５個分の蓄積メモリを具備するものとし、下記の構成例で説明する。
着信情報表示用蓄積メモリＡの容量＝５呼分
着信応答用蓄積メモリＢの容量＝５呼分（オンネット着信）
着信応答用蓄積メモリＣの容量＝５呼分（オフネット着信）
着信表示素子Ｄの数＝３
【００２３】
着信情報は、着信時の呼識別番号や発信者番号等の情報であり、着信情報表示用蓄積メモリＡ、ＬＡＮ内からの着信応答用蓄積メモリＢ（オンネット着信）Ｂ、外部からの着信応答用蓄積メモリ（オフネット着信）Ｃの蓄積容量は自由に設定可能であり、また、着信表示素子Ｄの数も同様に自由に設定可能とされる。優先順位は着信応答用蓄積メモリ（オンネット着信）Ｂ＞着信応答用蓄積メモリ（オフネット着信）Ｃとする。この優先順位も、設定により変更可能とされる。
【００２４】
オンネット着信は、同一のサーバに同一拠点で登録されているＩＰ電話機からの着信（内線）であり、オフネット着信は、ＧＷ５を介して外部ネットワークからの着信（外線）である。上記構成を持つＩＰ電話機Ｘ、Ｙ，Ｚ（１−１〜１−３）の３台がＬＡＮ（Ｌ１）に接続される。
【００２５】
図４−Ａ〜Ｃを用いて、本発明にかかるＩＰ電話機Ｘ，Ｙ，Ｚの状態１〜状態１１について各表示と着信情報表示用蓄積メモリＡ、着信応答用蓄積メモリ（オンネット着信）Ｂ、着信応答用蓄積メモリ（オフネット着信）Ｃの蓄積内容と動作を説明する。図４中、●は着信中表示（赤点滅［２４０ｉｎｔ］）であり、○は通話中表示（緑点灯）であり、◎はあふれ呼表示（緑点滅［２４０ｉｎｔ］）である。この表示パターンは、一例であり、様々な表示態様を取ることができる。
【００２６】
（状態１：着信時の動作１）最初に、オフネット着信Ｇ１が発生すると、サーバ３より各ＩＰ電話機Ｘ、Ｙ，Ｚにその情報が伝送される。そうすると、各ＩＰ電話機Ｘ、Ｙ，Ｚは、その情報をまず着信情報表示用蓄積メモリＡの領域Ａ１に蓄積し、対応する着信表示素子Ｄ１に着信表示（赤ランプ２４０ＩＮＴ点滅）を行う。また、オフネット着信情報であるため、着信応答用蓄積メモリ（オフネット着信）Ｃの領域Ｃ１に蓄積する。同様にして着信Ｇ２（オフネット）、着信Ｇ３（オフネット）の着信が発生すると、同様に着信情報表示用蓄積メモリＡの領域Ａ２、Ａ３及び着信応答用蓄積メモリＣの領域Ａ２，Ａ３に蓄積し、着信表示素子Ｄ２，Ｄ３の着信表示（赤ランプ２４０ＩＮＴ点滅）を行う。
【００２７】
（状態２：自動選択応答時の動作１）次に、ＩＰ電話機Ｘで自動選択応答（ハンドセットをフックオフするだけの着信優先順位順応答方法）を行うと、まず着信応答用蓄積メモリ（オンネット着信）Ｂをチェックする。該当メモリには蓄積情報が無いため、次に着信応答用蓄積メモリ（オフネット着信）Ｃをチェッする。該当メモリには、着信情報が３個蓄積されているので、先着順に領域Ｃ１の着信情報Ｇ１を選択する。着信情報Ｇ１が選択されると、着信情報表示用蓄積メモリＡと着信表示素子Ｄの表示方法を下記のように処理する。ＩＰ電話機Ｘ：着信情報表示用蓄積メモリＡの領域Ａ１の着信情報Ｇ１はそのまま、着信表示素子Ｄ１を緑ランプ点灯に変更する。
【００２８】
ＩＰ電話機Ｙ，Ｚ：ＩＰ電話機Ｘで応答すると、ＩＰ電話機Ｙ，Ｚにはサーバ３より着信終了情報が送信されるため、着信表示用蓄積メモリＡの領域Ａ１の着信情報Ｇ１を削除し、領域Ａ２の着信情報Ｇ２を領域Ａ１に、領域Ａ３の着信情報Ｇ３を領域Ａ２に移動する。それに伴い、着信表示素子Ｄ１は着信情報Ｇ２の表示に、着信表示素子Ｄ２の表示は着信情報Ｇ３の表示に変更し、着信表示素子Ｄ３は消灯させる（スライド表示１）。また、着信応答用蓄積メモリ（オフネット着信）Ｃの領域Ｃ１の着信情報Ｇ１もこのタイミングで削除し、領域Ｃ２の着信情報Ｇ２を領域Ｃ１へ、領域Ｃ３の着信情報Ｇ３を領域Ｃ２へ移動させ、領域Ｃ３を空きにする。
【００２９】
（状態３：通話終了時の動作１）次に、ＩＰ電話機Ｘで応答した通話を終了（終話）すると、着信表示用蓄積メモリＡの領域Ａ１の着信情報Ｇ１を削除し、対応する表示素子Ｄ１の表示を消灯させる。そして、領域Ａ２の着信情報Ｇ２を領域Ａ１へ、領域Ａ３の着信情報Ｇ３を領域Ａ２へ移動し、領域Ａ３を空きにする。それに伴い、着信表示素子Ｄ１は着信情報Ｇ２の表示に、着信表示素子Ｄ２の表示は着信情報Ｇ３の表示に変更し、着信表示素子Ｄ３は消灯させる。（スライド表示２）
【００３０】
（状態４：着信時の動作２）着信Ｇ４（オフネット）が発生すると領域Ａ３に蓄積し、着信表示素子Ｄ３に着信表示（赤ランプ２４０ＩＮＴ点滅）を行う。着信応答用蓄積メモリ（オフネット着信）Ｃへは、オフネット情報により、領域Ｃ３に蓄積する。次に、着信Ｇ５（オフネット）が発生すると着信情報表示用蓄積メモリＡの領域Ａ４に蓄積する。この時に着信表示数“３”＜着信表示蓄積数“４”となったので、着信表示素子Ｄ３の表示を緑ランプ２４０ＩＮＴ点滅に変化させる（あふれ呼表示）。着信Ｇ４は、オフネット情報であり、着信応答用蓄積メモリ（オフネット着信）Ｃの領域Ｃ４に蓄積する。
【００３１】
（状態５：自動選択応答時の動作２）次に、ＩＰ電話機Ｘで自動選択応答（着信優先順位順応答方法）を行うと、着信応答用蓄積メモリ（オンネット着信）Ｂ、着信応答用蓄積メモリ（オフネット着信）Ｃの順番にチェックする。該当着信応答用蓄積メモリ（オフネット着信）Ｃには、着信情報が４個（Ｇ１〜Ｇ４）蓄積されているので、先着順に領域Ｃ１の着信情報Ｇ２を選択する。着信情報Ｇ２が選択されると、着信情報表示用蓄積メモリＡと着信表示素子Ｄの表示方法を下記のように処理する。ＩＰ電話機Ｘ：着信表示用蓄積メモリＡの領域Ａ１の着信情報Ｇ２はそのまま、着信表示素子Ｄ１を緑ランプ点灯に変更する。
【００３２】
ＩＰ電話機Ｙ，Ｚ：ＩＰ電話機Ｘで応答すると、ＩＰ電話機Ｙ，Ｚにはサーバ３より着信終了情報が送信されるため、着信表示用蓄積メモリＡの領域Ａ１の着信情報Ｇ２を削除、領域Ａ２の着信情報Ｇ３を領域Ａ１メモリに移動、領域Ａ３の着信情報Ｇ４を領域Ａ２に、領域Ａ４の着信情報Ｇ５を領域Ａ３に移動する。それに伴い、着信表示素子Ｄ１は、着信情報Ｇ３の表示に、着信表示素子Ｄ２の表示は着信情報Ｇ４の表示に、着信表示素子Ｄ３は着信情報Ｇ４の表示に変更する（スライド表示１）。さらに、着信表示数３＝着信表示蓄積数３となったため、Ｄ３の表示を元の赤２４０ＩＮＴ点滅に変更する。また、着信応答用蓄積メモリＣの領域Ｃ１の着信情報Ｇ２もこのタイミングで削除し、領域Ｃ２の着信情報Ｇ３を領域Ｃ１へ、領域Ｃ３の着信情報Ｇ４を領域Ｃ２へ、領域Ｃ４の着信情報Ｇ５を領域Ｃ３へ移動させ、領域Ｃ４を空きにする。
【００３３】
（状態６：通話終了時の動作２）次に、ＩＰ電話機Ｘで応答した通話を終了（終話）すると、着信表示用蓄積メモリＡの領域Ａ１の着信情報Ｇ２を削除し、対応する表示素子Ｄ１の表示を消灯させる。そして領域Ａ２の着信情報Ｇ３を領域Ａ１へ、領域Ａ３の着信情報Ｇ４を領域Ａ２へ、領域Ａ４の着信情報Ｇ５を領域Ａ３へ移動し、領域Ａ４を空きにする。それに伴い、着信表示素子Ｄ１は着信情報Ｇ３の表示に、着信表示素子Ｄ２の表示は着信情報Ｇ４の表示に、着信表示素子Ｄ３の表示は着信情報Ｇ５の表示に変更する。この時、着信表示数“３”＝着信表示蓄積数“３”となったため、着信表示素子Ｄ３の表示を元の赤２４０ＩＮＴ点滅に変更する。また、着信応答用メモリＣの領域Ｃ１の着信情報Ｇ２もこのタイミングで削除し、領域Ｃ２の着信情報Ｇ３を領域Ｃ１へ、領域Ｃ３の着信情報Ｇ４を領域Ｃ２へ、領域Ｃ４の着信情報Ｇ５を領域Ｃ３へ移動させ、領域Ｃ４を空きにする。
【００３４】
（状態７：着信時の動作３（オンネット着信））次に、もう一度ＩＰ電話機Ｘで応答し、終了すると、各ＩＰ電話機Ｘ、Ｙ，Ｚには着信情報Ｇ４，Ｇ５の着信情報のみとなる。その状態で、オンネット着信Ｇ６が発生すると、各ＩＰ電話機Ｘ、Ｙ，Ｚの着信情報表示用蓄積メモリＡにその情報が伝送される。着信情報Ｇ６は、着信情報表示用蓄積メモリＡの領域Ａ３に蓄積し、着信表示素子Ｄ３の着信表示を赤ランプ２４０ＩＮＴ点滅に変更する。着信情報Ｇ６はオンネット着信であり、着信応答用蓄積メモリ（オンネット着信）Ｂの領域Ｂ１に蓄積する。
【００３５】
（状態８：自動選択応答時の動作３）次に、ＩＰ電話機Ｘで自動選択応答（着信優先順位順応答方法）を行うと、着信応答用蓄積メモリ（オンネット着信）Ｂ、着信応答用蓄積メモリ（オフネット着信）Ｃの順番にチェックする。優先度の高い着信応答用蓄積メモリ（オンネット着信）Ｂの領域Ｂ１に着信情報Ｇ６が１個蓄積されているので、着信応答用蓄積メモリ（オンネット着信）Ｂの領域Ｂ１の着信情報Ｇ６情報を選択する。着信情報Ｇ６が選択されると、着信表示用蓄積メモリＡと着信表示素子Ｄの表示方法を下記のように処理する。
【００３６】
ＩＰ電話機Ｘ：着信表示用蓄積メモリＡの領域Ａ３の着信情報Ｇ６はそのまま、着信表示素子Ｄ３を緑ランプ点灯に変更する。
【００３７】
ＩＰ電話機Ｙ，Ｚ：ＩＰ電話機Ｘで応答すると、ＩＰ電話機Ｙ，Ｚにはサーバ３より着信終了情報が送信されるため、着信表示用蓄積メモリＡの領域Ａ３の着信情報Ｇ６情報を削除し空きとする。それに伴い、着信表示素子Ｄ３は消灯とする。また、着信応答用蓄積メモリの領域Ｂ１の着信情報Ｇ６もこのタイミングで削除し、空きとする。
【００３８】
（状態９：通話終了時の動作３）次に、ＩＰ電話機Ｘで応答した通話を終了（終話）すると、着信表示用蓄積メモリＡの領域Ａ３の着信情報Ｇ６を削除し、対応する着信表示素子Ｄ３の表示を消灯させる。領域Ａ３は空きとなる。また、着信応答用蓄積メモリ（オンネット着信）Ｂの領域Ｂ１の着信情報Ｇ６もこのタイミングで削除し、空きにする。
【００３９】
（状態１０：手動選択応答時の動作１）次に、ＩＰ電話機Ｘで領域Ａ２の着信表示を選択、ボタン押下して手動応答を行うと、領域Ｃ２の着信情報Ｇ５を選択する。着信情報Ｇ５が選択されると、着信表示用蓄積メモリＡと着信表示素子Ｄの表示方法を、下記のように処理する。
【００４０】
ＩＰ電話機Ｘ：着信表示用蓄積メモリＡの領域Ａ２の着信情報Ｇ５はそのまま、着信表示素子Ｄ２を緑ランプ点火に変更する。
【００４１】
ＩＰ電話機Ｙ、Ｚ：ＩＰ電話機Ｘで応答すると、ＩＰ電話機Ｙ，Ｚにはサーバ３より着信終了情報が送信されるため、着信表示用蓄積メモリＡの領域Ａ２の着信情報Ｇ５を削除し、空きとする。それに伴い、着信表示素子Ｄ２は消灯とする。また、着信応答用蓄積メモリＣの領域Ｃ２の着信情報Ｇ５もこのタイミングで削除し、空きとする。
【００４２】
（状態１１：通話終了時の動作４）次に、ＩＰ電話機Ｘで応答した通話を終了（終話）すると、着信表示用蓄積メモリＡの領域Ａ２の着信情報Ｇ５情報を削除し、対応する表示素子Ｄ２の表示を消灯させる。領域Ａ２は空きとなる。また、着信応答用蓄積メモリＣの領域Ｃ２の着信情報Ｇ５もこのタイミングで削除し、空きにする。
【００４３】
なお、この実施例では２色ＬＥＤを着信表示素子に適用した例として説明したが、本発明はこれに限るものではない。例えば、数字を表現可能なＬＣＤと組み合わせ、最後の表示素子（図４の着信表示素子Ｄ３）にあふれ呼がある場合、そのあふれ呼の存在およびその数をＬＣＤで表示することも可能である。
【００４４】
以下、上記の処理の内容を、図５Ａ〜Ｃのフローチャートを用いてを用いて説明する。処理の開始に当たって、電話機１のＣＰＵ１２は、着信表示用蓄積メモリＡ、着信応答用蓄積メモリ（オンネット着信）Ｂ、着信応答用蓄積メモリ（オフネット着信）Ｃを初期化し、それぞれのカウンタを“１”とする（Ｓ１）。サーバ３からの着信情報等のメッセージの受信を監視し（Ｓ２）、メッセージを受信するとそのメッセージ種別が着信であるか、着信終了であるかを判定する（Ｓ３）。メッセージが着信情報Ｇｎであると、着信表示用メモリＡのカウンタ数ａが最大値以下であるかをみて、着信受付可能であるか否かを判定する（Ｓ４）。受付可能であるときには、着信表示用蓄積メモリＡに着信情報Ｇｎを蓄積する（Ｓ５）。次いで、着信表示用蓄積メモリＡのカウンタａが着信表示素子Ｄの最大数ｄｍａｘを越えるか否かをみて、あふれ呼が有るか否かを判定する（Ｓ６）。あふれ呼がない場合には、着信表示素子Ｄｎの表示を赤色１２０ＩＮＴ（１２０ｍｓｅｃ間隔表示）に点滅させる（Ｓ７）。ステップＳ６で、あふれ呼がある場合は、最後の着信表示素子Ｄｄｍａｘの表示を緑点滅（１２０ＩＮＴ）にする（Ｓ８）。次いで、着信が、内線（オンネット着信）か外線（オフネット着信）かを判定し（Ｓ９）、外線着信であるときには、着信応答用蓄積メモリＣに着信情報Ｇｎを蓄積した（Ｓ１０）後、着信応答用蓄積メモリＣのカウンタｃを１歩進させる（Ｓ１１）。ステップＳ９で、内線であるときには、着信応答用蓄積メモリＢに着信情報Ｇｎを蓄積し（Ｓ１２）、着信応答用蓄積メモリＣのカウンタｃを１歩進させる（Ｓ１３）。ステップＳ１１またはステップＳ１３の後、着信表示用蓄積メモリＡのカウンタａを１歩進させた（Ｓ１４）後、ステップＳ２に戻り処理を継続する。
【００４５】
ステップＳ２において、メッセージの受信がないときには、電話機による操作（イベント）の受信を監視する（Ｓ２１）。イベントがあるときには、イベント種別が応答であるか終話であるかを判定する（Ｓ２２）。応答であるときには、応答種別が自動であるか手動であるかを判定する（Ｓ２３）。手動であるときには、選択された着信表示用メモリＡがＡｍであるとき（Ｓ２４）、Ａｍに対応する着信用表示素子Ｄｍを緑に点灯して（Ｓ３１）、ステップＳ２に戻る。ステップＳ２３で、自動応答であるときには、着信応答用蓄積メモリ（オンネット着信）Ｂをチェックしてオンネット着信呼（内線着信）があるか否かを判定する（Ｓ２５）。オンネット着信呼が無いときには、着信応答用蓄積メモリ（オフネット着信）Ｃをチェックしてオフネット着信呼（外線着信）があるか否かを判定する（Ｓ２６）。外線着信呼が無いときには、着信応答処理を終了する（Ｓ２７）。ステップＳ２６で、外線着信呼がある場合には、着信応答用蓄積メモリＣの領域Ｃ１に蓄積されている着信情報Ｇｎを選択する（Ｓ２８）。また、ステップＳ２５で、内線着信呼があるときには、着信応答用蓄積メモリＢの領域Ｂ１に蓄積されている着信情報Ｇｎを選択する（Ｓ２９）。ステップＳ２８またはステップＳ２９の後、着信表示用蓄積メモリＡにおいて着信情報Ｇｎを蓄積している領域Ａｍを検索して（Ｓ３０）、この領域Ａｍに対応する着信表示素子Ｄｍを緑色に点灯した（Ｓ３１）後、ステップＳ２に戻る。
【００４６】
ステップＳ３でメッセージ種別が終了であるとき、または、ステップＳ２２でイベント種別が終話であるときには、着信表示用蓄積メモリＡにおいて着信終了または終話した着信情報Ｇｎを蓄積している領域Ａｍを検索し（Ｓ４１）、領域Ａｍの内容を消去し、着信表示素子Ｄｍを消灯する（Ｓ４２）。ｍが着信表示用蓄積メモリＡのカウンタａの値より小さいか否かを判定しスライド処理が終了したか否かをチェックし（Ｓ４３）、スライド処理が終了していないときには、着信表示用蓄積メモリＡの領域Ａｍ＋１の着信情報を領域Ａｍに移動して着信情報のスライド処理を実行する（Ｓ４４）。その後、着信表示素子Ｄｍ＋１の着信情報をＤｍに移動し（Ｓ４５）、カウンタｍを１歩進させた（Ｓ４６）後、ステップＳ４３に戻る。
【００４７】
ステップＳ４３で、スライド処理が終了したときには、着信表示用蓄積メモリＡのカウンタａを１減算する（Ｓ４７）。次いで、あふれ呼の有無を判定し（Ｓ４８）、あふれ呼がないときには、最後の着信表示素子Ｄｍａｘを赤点滅表示（１２０ＩＮＴ）とし（Ｓ４９）、内線か外線かを判定する（Ｓ５０）。ステップＳ４８であふれ呼があるときにも、内線か外線かを判定する（Ｓ５０）。
【００４８】
ステップＳ５０で、内線着信（オンネット着信）であるときには、着信応答用蓄積メモリ（オンネット着信）Ｂにおいて着信情報Ｇｎを蓄積している領域Ｂｍを検索し（Ｓ５１）、
領域Ｂｍの内容を消去し（Ｓ５２）、スライド処理が可能であるか否かを判断して（Ｓ５３）、スライド処理が可能であるときには、着信応答用蓄積メモリＢの領域Ｂｍ＋１の着信情報を領域Ｂｍに移動して着信情報のスライド処理を実行した（Ｓ５４）後、カウンタｍを１歩進させる（Ｓ５５）。その後ステップＳ５３に戻る。
【００４９】
ステップＳ５３でスライド処理が不可能であるときには、着信応答用蓄積メモリＢのカウンタｂを１減算して（Ｓ６３）、ステップＳ２に戻る。
【００５０】
ステップＳ５０で、外線着信（オフネット着信）であるときには、着信応答用蓄積メモリ（オフネット着信）Ｃにおいて、着信情報Ｇｎを蓄積している領域Ｃｍを検索し（Ｓ５７）、領域Ｃｍの内容を消去する（Ｓ５８）。次いで、スライド処理が可能であるか否かを判定し（Ｓ５９）、可であるときには、着信情報のスライド処理を着信応答用蓄積メモリ（オフネット着信）Ｃの領域ｍ＋１の着信情報を領域Ｃｍに移動して（Ｓ６０）、カウンタｃの内容ｍを１歩進した（Ｓ６１）後、ステップＳ５９へ戻る。ステップＳ５９で、不可であるときには、着信表示用蓄積メモリＣのカウンタｃの内容を１減算した（Ｓ６２）後、ステップＳ２へ戻る。
【図面の簡単な説明】
【００５１】
【図１】本発明が適用される電話機システムの構成の概要を説明する図
【図２】本発明にかかる電話機のハードウェアの概要を説明するブロック図
【図３】本発明にかかる電話機の機能の構成の概要を説明するブロック図
【図４−Ａ】本発明にかかる着信表示方法における状態遷移を説明する図（状態１〜状態４）
【図４−Ｂ】本発明にかかる着信表示方法における状態遷移を説明する図（状態５〜状態８）
【図４−Ｃ】本発明にかかる着信表示方法における状態遷移を説明する図（状態９〜状態１１）
【図５−Ａ】本発明にかかる着信表示方法における処理の流れを説明するフローチャート（Ｓ１〜Ｓ１４）
【図５−Ｂ】本発明にかかる着信表示方法における処理の流れを説明するフローチャート（Ｓ２１〜Ｓ３１）
【図５−Ｃ】本発明にかかる着信表示方法における処理の流れを説明するフローチャート（Ｓ４１〜Ｓ６３）
【図６】本発明にかかる着信表示方法の概略を説明する図
【図７】従来の電話機システムの構成の概要を説明する図
【図８】電話機の外観構成を説明する図
【図９】従来の着信表示方法の概略を説明する図
【符号の説明】
【００５２】
１：ＩＰ電話機、３：サーバ、５：ゲートウェイＧＷ、７：外部ネットワーク、１１Ｌ：ＬＡＮインタフェース、１１Ｐ：ＰＣインタフェース、１２：ＣＰＵ、１４：ＬＣＤ、１５：キーおよび表示素子、１６：ハンドセット、１７：スピーカ、１３１：ＲＯＭ、１３２：ＲＡＭ、１８１：ＡＣアダプタ、１８２：ＤＣ電源回路、Ｆ１１：ＬＡＮインタフェース部、Ｆ１２：コーダ・デコーダ部、Ｆ１３：Ａ／Ｄ変換・Ｄ／Ａ変換部、Ｆ１４：送受話器駆動部、Ｆ１５：ハンドセット、Ｆ１６：制御部、Ｆ１７：表示／操作部、Ｌ１：ＬＡＮ
【図１】
2006080625.tif 000003
【図２】
2006080625.tif 000004
【図３】
2006080625.tif 000005
【図４−Ａ】
2006080625.tif 000006
【図４−Ｂ】
2006080625.tif 000007
【図４−Ｃ】
2006080625.tif 000008
【図５−Ａ】
2006080625.tif 000009
【図５−Ｂ】
2006080625.tif 000010
【図５−Ｃ】
2006080625.tif 000011
【図６】
2006080625.tif 000012
【図７】
2006080625.tif 000013
【図８】
2006080625.tif 000014
【図９】
2006080625.tif 000015